【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
基材と、
前記基材の第１主面上に設けられ、前記基材の線膨張係数よりも大きい線膨張係数の第１樹脂部と、
前記第１樹脂部上に設けられた反射部と、
前記基材の前記第１主面とは反対側の第２主面上に設けられ、前記基材の線膨張係数よりも大きい線膨張係数の第２樹脂部と、を備えることを特徴とする光学素子。
【請求項２】
前記第２樹脂部が、前記第１樹脂部と同一の樹脂で形成されていることを特徴とする請求項１に記載の光学素子。
【請求項３】
前記基材において前記第１主面と前記第２主面とをつなぐ端上に設けられ、前記第１樹脂部と前記第２樹脂部とをつなぐ第３樹脂部を備えることを特徴とする請求項１又は２に記載の光学素子。
【請求項４】
前記第３樹脂部にゲート痕が形成されていることを特徴とする請求項３に記載の光学素子。
【請求項５】
前記基材において前記第３樹脂部が設けられた端とは反対側の端上に設けられ、前記第１樹脂部と前記第２樹脂部とをつなぐ第４樹脂部を備えることを特徴とする請求項３又は４に記載の光学素子。
【請求項６】
前記第１樹脂部は、前記第１主面上に設けられた複数の第１樹脂部の一つであり、
前記反射部は、前記複数の第１樹脂部上に設けられた複数の反射部の一つであることを特徴とする請求項１乃至５のいずれか１項に記載の光学素子。
【請求項７】
前記反射部は、前記第１樹脂部上に設けられた複数の反射部の一つであることを特徴とする請求項１乃至６のいずれか１項に記載の光学素子。
【請求項８】
前記基材は金属で構成されており、
前記第１樹脂部に含有される樹脂、及び前記第２樹脂部に含有される樹脂は、非晶性樹脂であることを特徴とする請求項１乃至７のいずれか１項に記載の光学素子。
【請求項９】
請求項１乃至８のいずれか１項に記載の光学素子と、
撮像素子と、を備える撮像装置。
【請求項１０】
基材の第１主面上に前記基材の線膨張係数よりも大きい線膨張係数の第１樹脂部を形成し、
前記第１主面とは反対側の第２主面上に前記基材の線膨張係数よりも大きい線膨張係数の第２樹脂部を形成し、
前記第１樹脂部上に反射部を形成することを特徴とする光学素子の製造方法。
【請求項１１】
前記基材を金型にインサートし、前記金型内に溶融樹脂を射出して、前記基材の第１主面上に第１樹脂部を形成するとともに、前記第２主面上に前記第２樹脂部を形成することを特徴とする請求項１０に記載の光学素子の製造方法。
【請求項１２】
前記基材の端と前記金型との間に、前記第１主面の側の第１空間と前記第２主面の側の第２空間とを連通させる溶融樹脂の第１流路が形成されるように、前記基材を前記金型にインサートすることを特徴とする請求項１１に記載の光学素子の製造方法。
【請求項１３】
前記第１流路には、ゲートが接続されていることを特徴とする請求項１２に記載の光学素子の製造方法。
【請求項１４】
前記基材において前記金型と共に前記第１流路を形成する端とは反対側の端と、前記金型との間に、前記第１空間と前記第２空間とを連通させる第２流路が形成されるように、前記基材を前記金型にインサートすることを特徴とする請求項１２又は１３に記載の光学素子の製造方法。
【請求項１５】
前記第１樹脂部は、複数の第１樹脂部の一つであり、前記第２樹脂部は、複数の第２樹脂部の一つであり、前記反射部は、複数の反射部の一つであり、
前記基材を前記金型により形成される複数のキャビティに跨って配置し、前記複数のキャビティの各々に溶融樹脂を射出することで前記複数の第１樹脂部及び前記複数の第２樹脂部を形成し、
前記複数の第１樹脂部に前記複数の反射部を形成することを特徴とする請求項１１乃至１４のいずれか１項に記載の光学素子の製造方法。
【請求項１６】
前記反射部は、複数の反射部の一つであり、前記第１樹脂部に前記複数の反射部を形成することを特徴とする請求項１０乃至１５のいずれか１項に記載の光学素子の製造方法。
【手続補正２】
【補正対象書類名】明細書
【補正対象項目名】発明の名称
【補正方法】変更
【補正の内容】
【発明の名称】光学素子、撮像装置、及び光学素子の製造方法
【手続補正３】
【補正対象書類名】明細書
【補正対象項目名】０００６
【補正方法】変更
【補正の内容】
【０００６】
本発明の光学素子は、基材と、前記基材の第１主面上に設けられ、前記基材の線膨張係数よりも大きい線膨張係数の第１樹脂部と、前記第１樹脂部上に設けられた反射部と、前記基材の前記第１主面とは反対側の第２主面上に設けられ、前記基材の線膨張係数よりも大きい線膨張係数の第２樹脂部と、を備えることを特徴とする。
【手続補正４】
【補正対象書類名】明細書
【補正対象項目名】００２７
【補正方法】変更
【補正の内容】
【００２７】
金属フレーム３の主面３Ａ、支持台４の主面４Ａ、及び支持台５の主面５Ａにおいて、第１樹脂部が設けられる部分は、反射部の形状を模した曲面、本実施形態では凹面に形成されている。金属フレーム２の主面２Ａにおいて、第１樹脂部が設けられる部分は、反射部の形状を模した曲面、本実施形態では凸面に形成されている。主面２Ａ，３Ａ，４Ａ，５Ａは、高い形状精度の面が形成されているのが好適であるが、必ずしも高い形状精度で形成されている必要はなく、例えば粗面であってもよい。第１樹脂部である各樹脂部２１１，２１２，２１３，２１４，２１５，２２１，２２２，２２３，２２４，２２５の表面には、回転非対称な曲率を有した曲面が、金型面を転写するなどの方法で高精度に形成されている。高精度な曲面の上には、例えば金属を蒸着するなどの方法で、反射膜からなる反射部１１１，１１２，１１３，１１４，１１５，１２１，１２２，１２３，１２４，１２５が形成されている。反射部の表面が反射面となる。
【手続補正５】
【補正対象書類名】明細書
【補正対象項目名】００４４
【補正方法】変更
【補正の内容】
【００４４】
金属フレーム２，３及び支持台４，５の両側に樹脂部を設けることにより、ステレオカメラ装置８００が置かれた環境の温度が変化しても、金属フレーム２，３及び支持台４，５の変形（反り）が抑制され、反射部の変形が抑制されることを見出した。ここで、第１樹脂部と第２樹脂部を構成する樹脂は、異なる組成であってもよいが、反射部の変形をより小さくするという観点において、同じ組成であることが好ましい。
【手続補正６】
【補正対象書類名】明細書
【補正対象項目名】００５９
【補正方法】変更
【補正の内容】
【００５９】
図１０は、第１実施形態の樹脂部を形成する工程を説明するための図である。この図１０には、樹脂部を成形するための射出成形装置６００を図示している。図８（ｂ）における射出工程である工程Ｓ１１２では、射出成形装置６００により金型６０内の各キャビティＣＶ１１，ＣＶ１２，ＣＶ２１，ＣＶ２２に、溶融樹脂を射出する。具体的に説明すると、ペレット状の樹脂７３をホッパ７２に投入すると、ペレット状の樹脂７３はヒータ７４で加熱されて液状化し、スクリュー７５により押圧されてシリンダ７６内を貯留部７７に向けて流動する。そして、貯留部７７に貯められた液状の溶融樹脂は、高速射出ユニット７８の作用によりノズル７９から射出される。
【手続補正７】
【補正対象書類名】明細書
【補正対象項目名】００８５
【補正方法】変更
【補正の内容】
【００８５】
金属フレーム３において樹脂部２４０が配置された側とは反対の側には、第２樹脂部である樹脂部２６０が配置され、樹脂部２５０が配置された側とは反対の側には、第２樹脂部である樹脂部２７０が配置されている。これにより、第１実施形態と同様、光学素子１３Ａが置かれる環境の温度変化に対し、光学素子１３Ａの変形を抑制することができる。
【手続補正８】
【補正対象書類名】明細書
【補正対象項目名】００８６
【補正方法】変更
【補正の内容】
【００８６】
光学素子１３Ａの製造方法について説明する。図１４（ｂ）は、第２実施形態の樹脂部を形成する工程を説明するための図である。具体的には、図１４（ｂ）は、金型６０Ａに金属フレーム３をインサートした状態を示す説明図である。インサート工程である図８（ｂ）の工程Ｓ１１１において、図１４（ｂ）に示すように、金属フレーム３を金型６０Ａにインサートする。金型６０Ａを型締めすることにより、金型６０Ａの内部には、キャビティＣＶ１０，ＣＶ２０が形成される。金属フレーム３は、金型６０Ａ内において、キャビティＣＶ１０，ＣＶ２０に跨って配置されている。
【手続補正９】
【補正対象書類名】明細書
【補正対象項目名】００８７
【補正方法】変更
【補正の内容】
【００８７】
キャビティＣＶ１０は、図１４（ａ）に示す樹脂部２４０、及び樹脂部２４０とは反対側の第２樹脂部である樹脂部２６０を形成するための空間である。キャビティＣＶ２０は、図１４（ａ）に示す樹脂部２５０、及び樹脂部２５０とは反対側の第２樹脂部である樹脂部２７０を形成するための空間である。